(57)【要約】【課題】従来では、モノポールアンテナの先端にヘリカルアンテナが取り付けられるホイップアンテナが主流であり、ヘリカルアンテナが、常に、筐体外部に露出し、使用者の利便性が悪く、デザイン性の自由度が悪いという問題があった。【解決手段】本発明の携帯端末機器では、逆Ｆアンテナ１３とモノポールアンテナ１４とを用い、外部との送受信を行う。携帯端末機では、モノポールアンテナ１４を下筐体３内に収納した場合には、逆Ｆアンテナにより外部との送受信を行う。また、携帯端末機には、モノポールアンテナ１４の先端部には、ヘリカルアンテナは形成されていない。そのため、モノポールアンテナ１４を下筐体３内に収納することで、上筐体２及び下筐体３からはアンテナは露出せず、使用者の使用上の利便性を向上させ、デザイン性の自由度をも向上させることができる。【選択図】    図２
2004228913.tif 000002
【特許請求の範囲】
【請求項１】
送受信可能な逆Ｆアンテナ及びモノポールアンテナが配置された筐体を有する携帯端末機器において、
前記逆Ｆアンテナは前記筐体内に内蔵され、前記モノポールアンテナは前記筐体の内側に収納し、且つ、引き出すことが可能な位置に配置され、前記逆Ｆアンテナと前記モノポールアンテナとは切替手段を介して切り替えられることを特徴とする携帯端末機器。
【請求項２】
前記逆Ｆアンテナ及び前記モノポールアンテナは、どちらか一方がメインアンテナとして用いられることを特徴とする請求項１に記載の携帯端末機器。
【請求項３】
前記モノポールアンテナの一端には導電部材が成型されており、前記導電部材は前記筐体内に配置された検出手段と接触し、前記逆Ｆアンテナと前記モノポールアンテナとを前記切替手段を介して切り替えることを特徴とする請求項１または請求項２に記載の携帯端末機器。
【請求項４】
前記モノポールアンテナは前記筐体内に収納時には接地されることを特徴とする請求項１から請求項３のいずれかに記載の携帯端末機器。
【請求項５】
前記モノポールアンテナは前記筐体内に全て収納されることを特徴とする請求項１から請求項４のいずれかに記載の携帯端末機器。
【請求項６】
前記筐体はヒンジ部を介し折り畳み式可能な第１の筐体と第２の筐体とから成り、前記逆Ｆアンテナ及び前記モノポールアンテナは、前記第１及び第２の筐体のいずれかに配置され、または、それぞれ第１及び第２の筐体に個別に配置されていることを特徴とする請求項１から請求項５のいずれかに記載の携帯端末機器。
【発明の詳細な説明】
【０００１】
【発明の属する技術分野】
本発明は、逆Ｆアンテナとモノポールアンテナとの２種類のアンテナを配置し、それらのアンテナを切替ながら外部と各種データの送受信を行う携帯端末機器に関するものである。
【０００２】
【従来の技術】
近年、携帯端末機器は小型軽量化、高機能化が進んでいる。例えば、携帯電話機では、主に、液晶表示画面が配置された第１の筐体と、主に、ダイヤルユニットが配置された第２の筐体がヒンジ部を介して連結され、第１の筐体と第２の筐体とが折り畳み可能な構造となっている。そして、このタイプの折り畳み型の携帯電話機では、使用者は、待受状態時には自らの胸ポケット等に、その携帯電話機を収納し、着信時に、胸ポケット等から取り出し使用している。
【０００３】
また、従来の携帯端末機器、例えば、携帯電話機では、使用するアンテナとして伸縮型のホイップアンテナ、または板状逆Ｆアンテナが用いられている。
【０００４】
携帯電話機のホイップアンテナとしての伸縮型の場合には、モノポールアンテナの先端に電気的に絶縁されたヘリカルアンテナが取り付けられる構造である。そして、伸長時にはモノポールアンテナとして動作し、電話機筐体内に収納したときにはヘリカルアンテナとして動作する。このとき、モノポールアンテナは筐体内に収納されるが、ヘリカルアンテナは筐体外部に位置する。一方、携帯電話機の板状逆Ｆアンテナの場合には、常時、筐体内に配置され、筐体内の地板の端に配置された場合には比較的広帯域の特性を有する。
【０００５】
例えば、従来の携帯電話機では、導体アンテナのモノポールアンテナと逆Ｆアンテナとが、幅が約２ｍｍの同じ材質の導体板で全体が一体構造に形成されている。そして、その複合アンテナを筐体内に配置し、受信用アンテナとして用いている（例えば、特許文献１参照）。
【０００６】
また、例えば、従来の携帯電話機では、ロッド型、ヘリカル型或いはこれらを複合した伸縮型等のアンテナを筐体に配置し、適宜、筐体に対し伸縮自在或いは引き出し自在とし用いられている（例えば、特許文献２参照）。
【０００７】
【特許文献１】
特開２００２−２１７６２５号公報（第５−７頁、第１−４図）
【特許文献２】
特開２００１−３３９４９６号公報（第３−６頁、第１図）
【０００８】
【発明が解決しようとする課題】
しかしながら、上述したように、従来の携帯端末機器では、モノポールアンテナの先端に電気的に絶縁されたヘリカルアンテナが取り付けられるホイップアンテナ方式が主流であった。そして、使用者は、通話状態では、モノポールアンテナを筐体より伸長し、アンテナ利得を向上させていた。一方、使用者は、待受状態では、モノポールアンテナを筐体内に収納し、ヘリカルアンテナのみを筐体外部に配置した状態で、例えば、使用者のポケット等へと携帯電話機を入れている。そのため、受信時には、携帯電話機を使用者のポケット等から出し、使用しなければならず、このとき、筐体外部へと配置されたヘリカルアンテナがポケット内で引っ掛かり、携帯電話機を取り出し難いという問題があった。
【０００９】
また、従来の携帯電話機では、例えば、待受状態時において、一定のアンテナ利得を確保する必要があり、ヘリカルアンテナをも筐体内部に収納することが困難なため、ヘリカルアンテナが筐体外部に配置していた。そのため、ヘリカルアンテナは、常に、筐体外部に配置され、携帯電話機のデザイン性の自由度が制限されてしまうという問題があった。
【００１０】
本発明の携帯端末機器は、筐体に対し伸縮自在のモノポールアンテナと筐体内に内蔵される逆Ｆアンテナとを採用することで、逆Ｆアンテナを用いて外部と送受信を行う場合には、モノポールアンテナを筐体内に収納する。そのことで、使用者が本発明の携帯端末機器を使用する時の利便性及び本発明の携帯端末機器のデザイン性の自由度を向上させることを目的とする。
【００１１】
【課題を解決するための手段】
本発明は、上述した各事情に鑑みて成されたものであり、本発明の携帯端末機器では、送受信可能な逆Ｆアンテナ及びモノポールアンテナが配置された筐体を有する携帯端末機器において、前記逆Ｆアンテナは前記筐体内に内蔵され、前記モノポールアンテナは前記筐体の内側に収納し、且つ、引き出すことが可能な位置に配置され、前記逆Ｆアンテナと前記モノポールアンテナとは切替手段を介して切り替えられることを特徴とする。従って、本発明の携帯端末機器では、モノポールアンテナ及び逆Ｆアンテナは、使用者の使用用途、または使用状態により、切替手段により切り替えて、それぞれをメインアンテナとして用いられることができる。そのことで、本発明では、モノポールアンテナを筐体内に収納した状態でも、逆Ｆアンテナを用いて外部と各種データの送受信を行うことができる。
【００１２】
また、本発明の携帯端末機器では、前記逆Ｆアンテナ及び前記モノポールアンテナは、どちらか一方がメインアンテナとして用いられることを特徴とする。従って、本発明の携帯端末機器では、モノポールアンテナを筐体内に収納した場合でも、携帯端末機器としてのアンテナ利得を損なうこと無く、逆Ｆアンテナにより外部と送受信を行うことができる。
【００１３】
また、本発明の携帯端末機器では、前記モノポールアンテナの一端には導電部材が成型されており、前記導電部材は前記筐体内に配置される検出手段と接触し、前記逆Ｆアンテナと前記モノポールアンテナとを前記切替手段を介して切り替えることを特徴とする。従って、本発明の携帯端末機器では、モノポールアンテナを筐体内に収納時には、上記導電部材と検出手段との接触により、モノポールアンテナと逆Ｆアンテナとの切り替えを行うことができる。
【００１４】
また、本発明の携帯端末機器では、前記モノポールアンテナは前記筐体内に収納時には接地されることを特徴とする。従って、本発明の携帯端末機器では、モノポールアンテナを筐体内に収納し、逆Ｆアンテナをメインアンテナとして使用する際には、モノポールアンテナが高調波を検波しても送受信回路等に影響を与えることはない。
【００１５】
また、本発明の携帯端末機器では、前記モノポールアンテナは前記筐体内に全て収納されることを特徴とする。従って、本発明の携帯端末機器では、逆Ｆアンテナをメインアンテナとして使用する際には、モノポールアンテナを筐体内に完全に収納することができ、使用者の利便性及び携帯電話機のデザイン性の自由度を向上させることができる。
【００１６】
また、本発明の携帯端末機器では、前記筐体はヒンジ部を介し折り畳み式可能な第１の筐体と第２の筐体とから成り、前記逆Ｆアンテナ及び前記モノポールアンテナは、前記第１及び第２の筐体のいずれかに配置され、または、それぞれ第１及び第２の筐体に個別に配置されていることを特徴とする。従って、本発明の携帯端末機器では、折り畳み式の携帯端末機器においても、モノポールアンテナと逆Ｆアンテナとを配置することができ、そして、それぞれのアンテナを切り替えて使用することができる。
【００１７】
【発明の実施の形態】
以下に、本発明における一実施の形態について、図１〜図５を参照にして詳細に説明する。本発明は、任意の携帯端末機器に適用できるが、以下では、好適な実施の形態として、折り畳み可能なカメラ付携帯電話機１（以下、携帯電話機と呼ぶ。）について説明する。尚、以下では折り畳み可能な携帯電話機が示されているが、この形態に限定されるものではなく、例えば、ストレート式の携帯電話機の場合でも良い。また、カメラ機能が搭載されていない携帯電話機の場合でも良い。
【００１８】
先ず、図１は本発明の一実施の形態である携帯電話機の（Ａ）開いた状態での内側（キー面）から見た概観図、（Ｂ）閉じた状態での外側（背面）から見た概観図であり、図２は図１に示す携帯電話機の（Ａ）背面から見た概観図であり、（Ｂ）左側面から見た概観図である。
【００１９】
図１（Ａ）及び（Ｂ）に示す如く、携帯電話機１は略直方体形状を有する上筐体２と下筐体３を含む機器本体から成り、上筐体２と下筐体３とは、それぞれ長手方向の一端部に設けられた相互に揺動変位可能に支持する揺動機構４によって係接されている。
【００２０】
上筐体２の正面側には、例えば、液晶ディスプレイ（ＬＣＤ）からなる第１表示部５と、第１表示部５の上方に受話部６とが設けられている。一方、上筐体２の背面側には、カメラ７、第２表示部８及び背面キー９が設けられている。そして、カメラ７は、撮像レンズと、ＣＣＤ（Ｃｈａｒｇｅ  Ｃｏｕｐｌｅｄ  Ｄｅｖｉｃｅ）イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの撮像素子と、ＲＧＢの３色のカラーフィルタとを備える。カメラ７は、被写体で反射されて撮像レンズに入射した光を、カラーフィルタを通してＲＧＢの３色光にし、ＲＧＢの３色光をそれぞれ前記撮像素子によって電気信号に変換する。尚、上筐体２の背面側に第２表示部８及び背面キー９を配置することで、使用者自らを撮影することが可能となる。
【００２１】
下筐体３の正面側には、複数の操作キーが行列状に配置されて構成されているキー操作部１０と、キー操作部１０の下方に送話部１１が設けられている。キー操作部１０は、カメラモードを起動させるカメラキー、撮影を行うためのシャッターキー、電源投入するための電源キー、メールモードを起動させるメールキー、数字・文字キー等から構成されている。一方、下筐体３の背面側には、バッテリ収納部を覆う蓋部材である電池蓋１２（図２参照）が、着脱可能なように装着されている。
【００２２】
上筐体２と下筐体３とを揺動可能に係接する揺動機構４は、いわゆるヒンジである。そして、上筐体２及び下筐体３を係接するピン部材が回転軸を構成するので、上筐体２と下筐体３とは互いに回転軸まわりに角変位すなわち揺動可能である。
【００２３】
図２（Ａ）及び（Ｂ）に示す如く、上筐体２の内部には、回路基板１６が設けられている。回路基板１６には、制御手段である処理回路及び上筐体２及び下筐体３に設けられる各部と処理回路とを結ぶ配線路等が設けられている。上述したカメラ７及びキー操作部１０等は、フレキシブルプリント基板によって回路基板１６に接続されている。
【００２４】
そして、本実施の形態の携帯電話機１では、上筐体２の内部には、金属板またはフレキシブル基板等で作成された逆Ｆアンテナ１３が筐体の上端部で、且つ、上筐体２の背面側に内蔵されている。一方、下筐体３の内部には、モノポールアンテナ１４が、下筐体３の左側辺部付近で、且つ、下筐体３の長手方向に対して略平行方向に配置されている。モノポールアンテナ１４は下筐体３に対して伸縮自在である。そして、モノポールアンテナ１４が下筐体３内に収納されている場合には、モノポールアンテナ１４の先端部に形成されたキャップ１５が、下筐体３外部に若干露出している。キャップ１５は、使用者が、通信時等にモノポールアンテナ１４を下筐体３に対し伸長する際に、使用者が摘む程度の長さを有していれば良い。尚、本実施の形態では、モノポールアンテナ１４の先端部にキャップ１５を形成した場合について説明したが、この場合に限定する必要はない。例えば、モノポールアンテナ１４のみとし、下筐体３内に完全に収納したモノポールアンテナ１４をペン出し方式のように、使用時に取り出す場合でも良い。また、モノポールアンテナ１４の先端部を若干、下筐体３外部へと露出させる場合でも良い。
【００２５】
そして、更に、図示していないが、下筐体３に配置された回路基板には、逆Ｆアンテナ１３及びモノポールアンテナ１４にそれぞれ接続される送受信回路及び増幅回路等が設けられており、携帯電話機１は、上述の処理回路に、予め、組み込まれた動作プログラムに従い、電話機として機能する。尚、上筐体２に配置された回路基板１６と下筐体３に配置された回路基板とは、例えば、フレキシブルプリント基板により電気的に接続されている。そして、逆Ｆアンテナ１３には同軸線で電力供給されている。つまり、逆Ｆアンテナ１３及びモノポールアンテナ１４では、無線電波を介して基地局と無線通信を行うときに、音声データ、文字データおよび画像データなどを送受信する。そして、逆Ｆアンテナ１３またはモノポールアンテナ１４で受信された通話受信信号が送受信回路等を経て受話部６に備わるスピーカーによって音声として再生される。一方、送話音声は送話部１１に備わるマイクロフォンによって電気信号に変換され送受信回路等を経て、逆Ｆアンテナ１３またはモノポールアンテナ１４から送信される。尚、本実施の形態では、板状逆Ｆアンテナであるが、線状素子により形成される逆Ｆアンテナであっても良い。
【００２６】
次に、図３はモノポールアンテナを伸縮させることによるメインアンテナの検出方法を示すブロック図であり、図４は図１に示す携帯電話機のモノポールアンテナの概略を示す概観図であり、図５は逆Ｆアンテナとモノポールアンテナとを切り替える切替機構の回路図である。
【００２７】
先ず、図３に示す如く、本実施の形態の携帯電話機１では、逆Ｆアンテナ１３とモノポールアンテナ１４とを切替スイッチ１８を介して切り替え、どちらか一方を携帯電話機１のメインアンテナとして用いる。切替スイッチ１８は、モノポールアンテナ１４が下筐体３内に収納状態にあるか、またはモノポールアンテナ１４が下筐体３内から引き出された状態にあるかを検出する検出スイッチ１９を介し、逆Ｆアンテナ１３またはモノポールアンテナ１４に電力供給を行う。つまり、携帯電話機１では、モノポールアンテナ１４が使用者により下筐体３内から引き出された場合には、モノポールアンテナ１４に電力が供給され、モノポールアンテナ１４により外部と各種データの送受信を行う。一方、モノポールアンテナ１４が使用者により下筐体３内に収納された場合には、逆Ｆアンテナ１３に電力が供給され、逆Ｆアンテナ１３により外部と各種データの送受信を行う。
【００２８】
上述した構造により、本実施の形態の携帯電話機１では、従来の携帯電話機のように、モノポールアンテナ１３の先端部にヘリカルアンテナを有していない。そして、特に、モノポールアンテナ１４が下筐体３内に収納された場合には、逆Ｆアンテナ１３を用い外部と各種データの送受信を行う。そのことで、携帯電話機１では、モノポールアンテナ１４を収納時、上筐体２及び下筐体３外部からは、従来の携帯電話機のようにヘリカルアンテナが露出することは無い。その結果、本発明では、待受状態時において、使用者が自らのポケット等に携帯電話機１を仕舞い込んでいた場合でも、引っ掛かることなく容易にポケット等から携帯電話機１を取り出すことができる。つまり、使用者の携帯電話機１の持ち運び、ポケット等への出し入れを容易にでき、使用時の利便性を向上させることができる。
【００２９】
また、本発明では、従来の携帯電話機におけるヘリカルアンテナを無くした構造とすることで、モノポールアンテナ１４が下筐体３へと収納された時には、上筐体２及び下筐体３外部からアンテナが露出することが無い。そのことで、携帯電話機１自体のデザイン性の自由度も向上させることができる。
【００３０】
次に、図４に示す如く、モノポールアンテナ１４には、常に、下筐体３内に位置する一端に、例えば、銅から成り、その表面に金メッキ、またはニッケルメッキの施された接触部材１７が形成されている。尚、接触部材１７としては、導電部材から形成されていれば良い。そして、接触部材１７は、モノポールアンテナ１４が使用者により下筐体３内から引き出された場合には、モノポールアンテナ１４が下筐体３内から完全に引き抜かれないようにストッパーとしての役割を果たす。一方、モノポールアンテナ１４が使用者により下筐体３内に収納された場合には、接触部材１７は、下筐体３内に、例えば、絶縁性樹脂により形成された検出スイッチ１９の躯体２０内に差し込まれる。そして、接触部材１７は、躯体２０内に配置された導電部材から成る２本の接触針２１と接触する。そして、検出スイッチ１９では、モノポールアンテナ１４が下筐体３内から引き出された状態にあるか、あるいは下筐体３内に収納された状態にあるかの検出を行う役割を果たす。尚、本実施の形態では、躯体２０は、図２（Ｂ）の丸印２３で示す領域の下筐体３内に配置されている。そして、切替スイッチ１８は下筐体３内の回路基板に形成されている。
【００３１】
ここで、図５に示す如く、本実施の形態では、検出スイッチ１９としてはトランジスタ素子２２を用いており、接触部材１７と接触針２１とが接触するか、否かで、検出回路を動作させ、モノポールアンテナ１４の位置を検出している。例えば、トランジスタ素子２２としてＮＰＮトランジスタを用いた場合には、エミッタ側に接触針２１が配置され、コレクタ側に切替スイッチ１２が配置されている。そして、本実施の形態では、エミッタ側は接地されており、モノポールアンテナ１４も下筐体３内に収納時には接地される。そのため、逆Ｆアンテナ１３がメインアンテナである際に、モノポールアンテナ１４が、下筐体３内に配置された回路部品、配線等から高調波を検波した場合でも、下筐体３内に配置された無線回路へ影響を与えることはない。尚、検出回路に用いられる素子としては、例えば、ＭＯＳトランジスタ、ＦＥＴ（Ｆｉｅｌｄ  Ｅｆｆｅｃｔ  Ｔｒａｎｓｉｓｔｅｒ）でも良い。また、本実施の形態では、接触状態の場合を用いているが、例えば、光センサー等を用い、非接触状態の場合での良い。つまり、検出スイッチ１９としては、モノポールアンテナ１４が引き出された状態であるか、あるいは収納された状態であるかを検出することが出来れば良い。
【００３２】
つまり、本実施の形態では、逆Ｆアンテナ１３とモノポールアンテナ１４とは、モノポールアンテナ１４の使用状態を検出スイッチ１９で検出し、切替スイッチ１８により切り替えて使用される。そして、モノポールアンテナ１４が使用者により下筐体３内から引き出された場合には、モノポールアンテナ１４がメインアンテナとなり、モノポールアンテナ１４が使用者により下筐体３内に収納された場合には、逆Ｆアンテナ１３がメインアンテナとなる。そのことで、携帯電話機１では、モノポールアンテナ１４が下筐体３内に完全に収納され、モノポールアンテナ１４によるアンテナ利得が悪化しても、逆Ｆアンテナ１３によるアンテナ利得を得ることができる。その結果、携帯電話機１では、常に、どちらかのアンテナにより高いアンテナ利得を得ることができる。
【００３３】
上述したように、携帯電話機１では逆Ｆアンテナ１３とモノポールアンテナ１４とが別個にメインアンテナとして用いられる。そのため、例えば、使用者がモノポールアンテナ１４を下筐体３に対し中途半端に差し込んだ場合には、モノポールアンテナ１４がメインアンテナであり、携帯電話機１のアンテナ利得が大幅に悪化する。つまり、使用者が、モノポールアンテナ１４を下筐体３に対し中途半端に差し込むと、モノポールアンテナ１４の一端に形成された接触部材１７と接触針２１とが接触せず、携帯電話機１ではメインアンテナが逆Ｆアンテナ１３へと切り替わらない。そのため、携帯電話機１では、使用者が、モノポールアンテナ１４を下筐体３に対し中途半端に差し込み、例えば、携帯電話機１を折り畳んだ状態では、以下の方法により携帯電話機１のアンテナ利得が悪化した状態であることを使用者に知らせる。例えば、受話部６からある警告音を発することで、第１表示部５または第２表示部８に警告マークを表示することで、または、図示していないが、カメラ７のフラッシュとなるＬＥＤを発光することで、使用者に知らせる。
【００３４】
尚、本実施の形態では、逆Ｆアンテナとモノポールアンテナとは別個に上筐体及び下筐体に配置された場合について説明したが、この場合に限定する必要はない。例えば、両者が同一の筐体内に配置されても良く、配置箇所も任意の設計変更が可能である。また、本実施の形態では、携帯電話機の場合について説明したが、この場合に限定する必要はない。例えば、ＰＤＡ（Ｐｅｒｓｏｎａｌ  Ｄｉｇｉｔａｌ  Ａｓｓｉｓｔａｎｔ）等の外部との送受信機能を備えた携帯端末機器においても、上述した機構を備えることが出来、同様な効果を得ることができる。その他、本発明の要旨を逸脱しない範囲で、種々の変更が可能である。
【００３５】
【発明の効果】
上述したように、第１に、本発明の携帯端末機器では、逆Ｆアンテナとモノポールアンテナとを有し、この２つのアンテナを切り替えながら、どちらか一方をメインアンテナとして用いる。例えば、モノポールアンテナの位置を検出する検出手段を介して切替機構により、両アンテナを切り替えながらメインアンテナとする。そして、逆Ｆアンテナは筐体内に、常時、内蔵され、一方、モノポールアンテナは筐体に対し伸縮自在である。そのことで、本発明の携帯端末機器では、モノポールアンテナを筐体内に収納した状態では、逆Ｆアンテナにより外部と送受信を行うことが出来る。その結果、本発明の携帯端末機器は、モノポールアンテナの先端にヘリカルアンテナを形成する必要がないので、使用者のポケット等に引っ掛かることなく、使用者の利便性を向上させることができる。また、モノポールアンテナを筐体内に収納した場合には、筐体からアンテナが露出することがないので、本体自体のデザイン性を向上させることができる。
【００３６】
第２に、本発明の携帯端末機器では、逆Ｆアンテナまたはモノポールアンテナのどちらか一方をメインアンテナとして用いる。そのことで、本発明の携帯端末機器では、モノポールアンテナを筐体内に完全に収納し、モノポールアンテナによるアンテナ利得が悪化しても、逆Ｆアンテナによるアンテナ利得を得ることができる。その結果、本発明の携帯端末機器は、常に、どちらかのアンテナにより高いアンテナ利得を得ることができる。
【００３７】
第３に、本発明の携帯端末機器では、逆Ｆアンテナとモノポールアンテナとを有し、この２つのアンテナを切り替えながら、どちらか一方をメインアンテナとして用いる。そして、逆Ｆアンテナをメインアンテナとして用いる場合には、モノポールアンテナは接地された状態であり、モノポールアンテナの近傍に位置する回路部品、配線等から高調波を検波しても、無線回路に影響を与えることはない。
【図面の簡単な説明】
【図１】本発明の一実施の形態である携帯電話機の（Ａ）開いた状態での内側（キー面）から見た概観図、（Ｂ）閉じた状態での外側（背面）から見た概観図である。
【図２】同携帯電話機の（Ａ）開いた状態での外側（背面）から見た概観図、（Ｂ）開いた状態での左側面から見た概観図である。
【図３】同携帯電話機のメインアンテナの検出方法を示すブロック図である。
【図４】同携帯電話機のモノポールアンテナの概略を示す概観図である。
【図５】同携帯電話機の逆Ｆアンテナとモノポールアンテナとを切り替える切替機構の回路図である。
【符号の説明】
１          カメラ付携帯電話機
２          上筐体
３          下筐体
４          揺動機構
５          第１表示部
６          受話部
７          カメラ
８          第２表示部
９          背面キー
１０          キー操作部
１１          送話部
１２          電池蓋
１３          逆Ｆアンテナ
１４          モノポールアンテナ
１５          キャップ
１６          回路基板
１７          接触部材
１８          切替スイッチ
１９          検出スイッチ
２０          躯体
２１          接触針
２２          トランジスタ
【図１】
2004228913.tif 000003
【図２】
2004228913.tif 000004
【図３】
2004228913.tif 000005
【図４】
2004228913.tif 000006
【図５】
2004228913.tif 000007